(57)【要約】      （修正有）【課題】パチンコ、スマートボール等のピンボール遊技機の玉案内通路等の曲線状に屈曲した狭い通路等を容易に清掃することができる遊技場の機械台の掃除道具を提供する。【解決手段】後端側が堅牢なシェル部９で、前端側が弾性変形可能な弾性部１０で、細長い内部通路を有する外筒部３と、後端側が堅牢な棒材部４で、前端側が可撓性の線材部５で、前記外筒部の内部通路に往復運動可能に挿通された清掃材可動手段２と、前記清掃材可動手段の先端部に固定された清掃材７とを設ける。前記棒材部は、清掃材可動手段を外筒部に最も深く押し込んだ時に、その先端が、外筒部のシェル部の前端９ａ近傍に到達する長さを有し、前記線材部は、清掃材可動手段を外筒部の内部通路内で往復運動させる時に、その先端が外筒部の前端開口部から突出した状態で前進及び後退する長さを有することを特徴として、遊技場の機械台の掃除道具を構成する。【選択図】図１
0003161594.tif 000002
【実用新案登録請求の範囲】
【請求項１】
後端側が堅牢なシェル部からなり、前端側が弾性変形可能な弾性部からなり、細長い内部通路を有する外筒部と、
後端側が堅牢な棒材部からなり、前端側が可撓性の線材部からなり、前記外筒部の内部通路に往復運動可能に挿通された清掃材可動手段と、
前記清掃材可動手段の先端部に固定された清掃材とを備え、
前記清掃材可動手段の棒材部は、清掃材可動手段を外筒部に最も深く押し込んだ時に、当該棒材部の先端が、外筒部のシェル部の前端近傍に到達する長さを有し、
前記清掃材可動手段の線材部は、当該清掃材可動手段を外筒部の内部通路内で往復運動させる時に、前記線材部の先端が外筒部の前端開口部から突出した状態で前進及び後退する長さを有することを特徴とする、遊技場の機械台の掃除道具。
【請求項２】
前記清掃材可動手段を最も後退させた時に、外筒部の弾性部の前端開口部と清掃材の間に５〜１５ｍｍの間隔が空くことを特徴とする、請求項１に記載の遊技場の機械台の掃除道具。
【請求項３】
前記清掃材可動手段の棒材部の長さが、前記外筒部のシェル部の長さの８０〜１２０％であり、前記清掃材可動手段を外筒部に最も深く押し込んだ時に当該外筒部の弾性部の前端開口部から突出する線材部の長さが、前記外筒部の弾性部の長さの２〜３倍である、請求項１又は２に記載の遊技場の機械台の掃除道具。
【請求項４】
当該外筒部のシェル部の長さが１５０〜１７０ｍｍ、当該外筒部の弾性部の長さが８０〜１３０ｍｍであり、
当該清掃材可動手段の棒材部の長さが１３０〜１５０ｍｍ、当該清掃材可動手段の線材部の長さが２５０〜２８０ｍｍであり、
前記清掃材可動手段の線材部は、前記清掃材可動手段を外筒部に最も深く押し込んだ時に当該外筒部の弾性部の前端開口部から突出する線材部の長さが、９０〜１１０ｍｍである、請求項１乃至３のいずれか一項に記載の遊技場の機械台の掃除道具。
【請求項５】
前記清掃材可動手段の線材部が、直径１．５〜２．５ｍｍであり、少なくとも９０度の屈曲に耐え得る耐屈曲性を有するものである、請求項１乃至４のいずれか一項に記載の遊技場の機械台の掃除道具。
【請求項６】
前記清掃材可動手段の線材部が、ワイヤーからなる、請求項１乃至５のいずれか一項に記載の遊技場の機械台の掃除道具。
【請求項７】
前記清掃材可動手段の最先端に、小塊状のガイド部材を更に備え、当該ガイド部材の直後に前記清掃材が配置されている、請求項１乃至６のいずれか一項に記載の遊技場の機械台の掃除道具。
【請求項８】
前記小塊状のガイド部材の形状が、球状、扁球状、多面体状、円錐状、円柱状、及びこれらの形状の表面に凹凸を有する形状よりなる群から選ばれるものであり、当該ガイド部材の外接球の直径が６〜１０ｍｍである、請求項７に記載の遊技場の機械台の掃除道具。
【請求項９】
前記ガイド部材が、直径８〜１０ｍｍの球状ガイド部材であり、である、請求項７又は８に記載の遊技場の機械台の掃除道具。
【請求項１０】
前記ガイド部材と、前記清掃材とが、２〜４ｍｍの間隔で配置されている、請求項７乃至９のいずれか一項に記載の遊技場の機械台の掃除道具。
【請求項１１】
前記清掃材が、直径１０〜１４ｍｍ、軸方向の長さ５〜１５ｍｍのリング状ブラシである、請求項１乃至１０のいずれか一項に記載の遊技場の機械台の掃除道具。
【請求項１２】
前記リング状ブラシが、２〜４ｍｍの間隔で２つ配置されている、請求項１１に記載の遊技場の機械台の掃除道具。
【請求項１３】
前記清掃材が、前記清掃材可動手段の線材部を軸に回転することができる、請求項１乃至１２のいずれか一項に記載の遊技場の機械台の掃除道具。
【請求項１４】
前記清掃材が、１ｍｍ以下の幅で前後に動く遊びがあるように固定されている、請求項１乃至１３のいずれか一項に記載の遊技場の機械台の掃除道具。
【請求項１５】
前記清掃材可動手段が、前記清掃材可動手段の棒材部の後端に、外筒部のシェル部の内部通路径よりも太いエンドグリップを備える、請求項１乃至１４のいずれか一項に記載の遊技場の機械台の掃除道具。
【請求項１６】
前記外筒部のシェル部の後端と、前記エンドグリップの前端とが、前記清掃材可動手段の押し込み可能な距離を規定する自由長を有するバネによって連結され、前記清掃材可動手段の棒材部が前記バネに挿通されている、請求項１５に記載の遊技場の機械台の掃除道具。
【請求項１７】
前記外筒部の弾性部の内部通路径が、前記清掃材の直径よりも小さいことを特徴とする、請求項１乃至１６のいずれか一項に記載の遊技場の機械台の掃除道具。
【考案の詳細な説明】
【技術分野】
【０００１】
本考案は、遊技場の機械台の掃除道具に関し、特に、パチンコ、スマートボール等のピンボール遊技機の玉案内通路を容易に清掃することができる遊技場の機械台の掃除道具に関するものである。
【背景技術】
【０００２】
パチンコ、スマートボール等のピンボール遊技機を使用する際、玉案内通路に埃や髪の毛等のゴミが溜まり、更にそれらのゴミが玉によって押されることで、玉の発射口にゴミが溜まり、玉が発射しないという不具合がしばしば起こる。したがって、ピンボール遊技機の玉案内通路を適宜掃除する必要がある。従来は、ピンボール遊技機の玉案内通路の清掃を、綿棒等の細い直線棒状の掃除道具や、エアー噴射等によって行っていた。
【０００３】
また、特許文献１には、軸筒が直線棒状のものでは清掃が困難な、パチンコ遊技機内部の曲がりくねった管状の部品の内部やトンネル状の打球案内レール等の隠れた部位であっても容易に清掃することができる、軸筒の一部分が弾性変形可能に成型された携帯清掃材係止具が開示されている。
【先行技術文献】
【特許文献】
【０００４】
【特許文献１】特開２０１０−７５６３７号公報
【考案の概要】
【考案が解決しようとする課題】
【０００５】
しかしながら、特許文献１に開示されている携帯清掃材係止具は、筆記具とほぼ同じサイズのペン型であるため、掃除をする溝や通路等が屈曲し且つ長い場合は奥まで届かず、塵埃を十分に除去することができない。また、前記携帯清掃材係止具の軸筒の弾性変形可能部分は、先端の突起部とほぼ同じ直径を有するので、９０°以上曲がった通路や極めて複雑に曲がりくねった通路に対しては柔軟に追従できず、途中でつかえてしまう。
【０００６】
また、従来の清掃方法では、直線状の玉案内通路には対応できるものの、曲線状の玉案内通路では、屈曲部より奥に掃除道具が届かず、奥の部分のゴミをエアー噴射によって清掃しても完全にゴミを除去することはできないという問題点があった。
【０００７】
本考案は、上記の問題を解決するために、パチンコ、スマートボール等のピンボール遊技機の玉案内通路等の曲線状に屈曲した狭い通路等を容易に清掃することができる遊技場の機械台の掃除道具を提供することを目的とする。
【課題を解決するための手段】
【０００８】
本考案に係る遊技場の機械台の掃除道具は、
後端側が堅牢なシェル部からなり、前端側が弾性変形可能な弾性部からなり、細長い内部通路を有する外筒部と、
後端側が堅牢な棒材部からなり、前端側が可撓性の線材部からなり、前記外筒部の内部通路に往復運動可能に挿通された清掃材可動手段と、
前記清掃材可動手段の先端部に固定された清掃材とを備え、
前記清掃材可動手段の棒材部は、清掃材可動手段を外筒部に最も深く押し込んだ時に、棒材部の先端が、外筒部のシェル部の前端近傍に到達する長さを有し、
前記清掃材可動手段の線材部は、当該清掃材可動手段を外筒部の内部通路内で往復運動させる時に、前記線材部の先端が外筒部の前端開口部から突出した状態で前進及び後退する長さを有することを特徴とする。
【考案の効果】
【０００９】
本考案によれば、パチンコ遊技機の玉案内通路等の曲線状に屈曲した狭い通路等を、容易に清掃することができる。
【図面の簡単な説明】
【００１０】
【図１】本考案に係る遊技場の機械台の掃除道具の一例を概略的に示す側面図である。
【図２】図１に示す遊技場の機械台の掃除道具の線材部の先端部を拡大して概略的に示す側面図である。
【図３】清掃材として用いることができるブラシの具体例を説明する図である。
【図４】線材部または弾性部の屈曲の角度を説明する図である。
【図５】前方から見たパチンコ遊技機の全景の写真である。
【図６】本考案に係る遊技場の機械台の掃除道具を用いて、図５に示すパチンコ遊技機の掃除を行う際の様子の写真である。
【図７】本考案に係る遊技場の機械台の掃除道具を用いて、パチンコ遊技機の上皿部分にある玉案内通路の掃除を行う際の、清掃材可動手段を押し込む前の様子の写真である。
【図８】本考案に係る遊技場の機械台の掃除道具を用いて、パチンコ遊技機の上皿部分にある玉案内通路の掃除を行う際の、清掃材可動手段を押し込んだ時の様子の写真である。
【図９Ａ】本考案に係る遊技場の機械台の掃除道具の試作品の一例を寸法と共に概略的に示す側面図である。
【図９Ｂ】試作品のエンドグリップを最も深く押し込んだ時の各部位の寸法を示す側面図である。
【図９Ｃ】試作品のエンドグリップを最も後退させた時の各部位の寸法を示す側面図である。
【考案を実施するための形態】
【００１１】
以下、図面を参照して、本考案の好適な遊技場の機械台の掃除道具について詳細に説明する。ただし、本考案は以下の実施形態に限定されるものではない。
【００１２】
図１は、本考案に係る遊技場の機械台の掃除道具（以下、単に「掃除道具」と称することがある。）の一例を概略的に示す側面図である。図１に示す掃除道具１は、清掃材可動手段２と、清掃材可動手段２が往復運動可能に挿通された外筒部３とから構成される。前記清掃材可動手段２は、後端側が堅牢な棒材部４からなり、前端側が可撓性の線材部５からなる。前記線材部５は先端にガイド部材６及び清掃材７を備え、前記棒材部４は後端にエンドグリップ８を備える。前記外筒部３は、後端側が堅牢なシェル部９からなり、前端側が弾性変形可能な弾性部１０からなり、清掃可動手段２が挿通可能な細長い内部通路を有する。前記エンドグリップ８と前記シェル部９との間には、バネ１１が具備される。
図１（ａ）は清掃材可動手段２を最も深く押し込んだ時の状態を示し、図１（ｂ）は清掃材可動手段２を最も後退させた時の状態を示す。
尚、図１において、清掃材可動手段２の一部、バネ１１の一部及びシェル部の内部通路９ｃは、外筒部３の内部通路に存在していて外から見えないが、点線で示す。
【００１３】
図２は、図１に示す遊技場の機械台の掃除道具の線材部の先端部を拡大して概略的に示す側面図であり、線材部５、ガイド部材６、清掃材７（７ａ、７ｂ）、及びストッパー１２ａ、１２ｂ、１２ｃ示す。
【００１４】
先ず、清掃材可動手段２について詳しく説明する。清掃材可動手段２は、外後端側の棒材部４と前端側の線材部５からなる全長が、通常３８０〜４３０ｍｍ程度である。
棒材部４は、清掃材可動手段２の後端側を構成し、堅牢であるため、清掃材可動手段２を外筒部３の内部通路内において、安定して往復運動させることができる。前記棒材部４が堅牢でないと、清掃材可動手段２を外筒部３の内部通路に挿入することが困難である。
前記棒材部４の材質は、堅牢であれば特に限定されないが、例えば、鉄、ＳＵＳ、アルミニウム、真鍮等の金属類、ポリオキシメチレン（ＰＯＭ）、ポリプロピレン（ＰＰ）、ポリエチレンテレフタレート（ＰＥＴ）等の樹脂等、及び木材等が挙げられる。
棒材部４は、清掃材可動手段２を外筒部３に最も深く押し込んだ時に、前記棒材部の先端４ａが、外筒部のシェル部の前端９ｂ近傍に到達する長さを有する。棒材部４が前記長さよりも長いと、清掃材可動手段２を外筒部３に最も深く押し込んだ時に棒材部４の前端部が、外筒部３のシェル部９から突出し過ぎた状態になるため、弾性部が屈曲した状態では棒材部４の往復運動の障害になる。また、棒材部４が前記長さよりも短いと、シェル部の長さに対して、往復運動の可動領域が小さくなる。
棒材部４の長さは、１３０〜１５０ｍｍであることが好ましい。
また、棒材部４の長さは、前記外筒部のシェル部の長さの８０〜１２０％であることが好ましく、特に８０〜１００％であることが好ましい。
棒材部４の直径は、外筒部の内部通路の直径よりも小さければ特に限定されない。
【００１５】
線材部５は、清掃材可動手段２の前端側を構成し、可撓性であるため、屈曲した通路に挿入すると、その通路の屈曲形状に合わせて曲がりながら進行することができる。前記線材部５としては、挿入する通路の形状に追従できる可撓性と、軸方向に押し込み圧力を伝達できる軸方向剛性を有する線状材料であれば特に限定されず、例えば、金属製または樹脂製のワイヤー、樹脂またはゴムで被覆した金属製ワイヤー等が挙げられる。
ワイヤーとしては、特に限定されず、１本ワイヤー、複数本編み込みワイヤー、蛇腹状ワイヤー等が挙げられる。
【００１６】
線材部５は、前記清掃材可動手段２を外筒部３の内部通路内で往復運動させる時に、前記線材部の先端が外筒部の前端開口部から突出した状態で前進及び後退する長さを有する。
線材部５の長さは、２５０〜２８０ｍｍであることが好ましい。
【００１７】
清掃材可動手段２を外筒部３に最も深く押し込んだ時（図１（ａ））に外筒部３の弾性部の前端開口部１０ａから突出する線材部５の長さ（ｄ１）が、前記弾性部１０の長さ（ｄ２）の２〜３倍であることが好ましく、特に２〜２．５倍であることが好ましい。
線材部５は、前記清掃材可動手段２を外筒部３に最も深く押し込んだ時（図１（ａ））に当該外筒部の弾性部の前端開口部から突出する線材部の長さ（ｄ１）が、９０〜１１０ｍｍであることが好ましい。長さが前記範囲内であると、ピンボール遊技機の玉案内通路等の掃除しにくい場所においても、容易に掃除することができる。
【００１８】
線材部５は、直径１．５〜２．５ｍｍであることが好ましい。直径が前記範囲内にあることにより、前記線材部５は狭い通路を通ることができ、且つ強度及び屈曲性に優れる。
前記線材部５は、９０度以上の屈曲に耐えられるものであることが好ましい。尚、屈曲の角度は、図４に示すθの角度を意味する。
【００１９】
前記ガイド部材６は、前記線材部５の最先端に具備され、当該線材部５が遊技球の案内通路等の通路に侵入したときに、先端を進行方向へ誘導する。
ガイド部材６の形状は、小塊状であれば特に限定されないが、例えば、球状、扁球状、多面体状、円錐状、円柱状、及びこれらの形状の表面に凹凸を有する形状等が挙げられる。
ガイド部材６の大きさは、遊技球の大きさ、玉案内通路のサイズによって適宜調節するが、パチンコ遊技機用の場合には、外接球（すなわち、ガイド部材６に外接する仮想的な球）の直径が６〜１０ｍｍであることが好ましく、特に９〜１０ｍｍであることが好ましい。
尚、ガイド部材６が長軸と短軸を有する形状である場合は、当該ガイド部材６の長軸を線材部５の軸方向に合わせることが好ましい。
前記ガイド部材６の形状は、上記に挙げられる形状の中でも、角のない形状であることが好ましく、より好ましくは球状及び扁球状であり、さらに好ましくは球状である。
【００２０】
ガイド部材６が球状のガイド部材である場合、前記球状のガイド部材の直径は、８〜１０ｍｍであることが好ましく、特に９〜１０ｍｍであることが好ましい。
【００２１】
ガイド部材の材質としては、特に限定されないが、例えば、ＰＯＭ樹脂、ポリプロピレン（ＰＰ）、ポリエチレンテレフタレート（ＰＥＴ）等の樹脂、アルミニウム、真鍮等の金属等が挙げられ、これらの中でも、好適な硬度と軽さを有する点から、ＰＯＭ樹脂、アルミニウムが好ましい。
【００２２】
前記清掃材７は、前記ガイド部材６の直後に配置されており、前記線材部５が通路を通過する際に通路壁面のゴミを拭き取り回収する。
前記清掃材７は、通路を通過する際に、通路壁面のゴミを拭き取り回収することができるものであれば特に限定されず、例えば、ブラシ、繊維束、綿、布等が挙げられ、これらの中でも特にブラシが好ましい。
前記ブラシとしては、特に限定されず、例えば図３に示すような、スクリュー状ブラシ（図３（ａ）、（ｂ））及びリング状ブラシ（図３（ｃ））等が挙げられるが、これらの中でもリング状ブラシが好ましい。
前記ブラシは、例えば、配管掃除等に用いられる市販のものを用いることができる。
【００２３】
また、前記清掃材７は１個のみでもよいし、２個以上具備されていてもよいが、図１及び図２に示すように、２個の清掃材７ａ及び７ｂであることが好ましい。これにより、清掃材７はゴミ回収能及び強度に特に優れる。
【００２４】
前記清掃材７として、２つの清掃材７ａ及び７ｂを用いる場合、当該清掃材７ａ及び７ｂは、それぞれ直径が１０〜１４ｍｍ、特に１０〜１３ｍｍであることが好ましく、それぞれ軸方向の長さが５〜１５ｍｍ、特に５〜１０ｍｍ、さらに７〜１０ｍｍであることが好ましい。
【００２５】
前記球状のガイド部材６と前記清掃材７との間隔（図２に示すｅ１）は、２〜４ｍｍであることが好ましい。
【００２６】
複数個の清掃材を具備する場合、清掃材間の間隔（図２に示すｅ２）は、前記球状のガイド部材６と前記清掃材７との間隔と同様に２〜４ｍｍであることが好ましい。
【００２７】
前記清掃材７は、線材部に固定された状態で、前記線材部を軸に回転することができることが好ましい。前記清掃材７が前記線材部５を軸に回転することができるためには、特に限定されないが、例えば、前記清掃材７の軸穴を、前記線材部５の直径の１．１〜１．３倍にする。
【００２８】
前記清掃材７は、１ｍｍ以下の幅で前後に動く遊びがあるように固定されていることが好ましい。前記清掃材７を線材部に固定する方法は、特に限定されないが、例えば、図２に示すように、線材部５を通すためのリング状ブラシの軸穴の直径よりも大きい直径を有するストッパー１２ａ、１２ｂ及び１２ｃにより固定する方法等が挙げられる。前記ストッパー１２ａ、１２ｂ及び１２ｃは、軸方向の長さが２〜３ｍｍであることが好ましい。これにより、前記球状のガイド部材６と前記清掃材７との間隔、及び複数個の清掃材を具備する場合は清掃材間の間隔を２〜４ｍｍにすることができ、且つ、前記清掃材７は、１以下ｍｍの幅で前後に動く遊びがあるように固定することができる。
【００２９】
エンドグリップ８は、清掃材可動手段２を往復運動させる際の持ち手部分となり、且つ、清掃材可動手段２を外筒部３に押し込む時の止め具となる。
エンドグリップ８はシェル部の内部通路径よりも太いことが好ましく、弾性部１０の内部通路径は、前記清掃材の直径よりも小さいことが好ましい。この場合、エンドグリップ８がシェル部の後端９ｂと接触する時が、清掃材可動手段２を外筒部３に最も深く押し込んだ時である。また図示した例では、清掃材７が外筒部の内部通路に入り込めない大きさであるため、清掃材７が弾性部の前端１０ａと接触するときが、清掃材可動手段２を最も後退させた時であるが、清掃材可動手段２の可動域の一部（比較的浅い押し込み距離の範囲）において、清掃材７が外筒部３の内部通路に入り込んでもよい。
また、前記エンドグリップ８は、特に限定されないが、握りやすい形状になっていることが好ましく、例えば、くびれ形状等になっていることが好ましい。
【００３０】
前記エンドグリップ８の材質としては、特に限定されないが、木材、ＰＯＭ、ポリプロピレン（ＰＰ）、ポリエチレンテレフタレート（ＰＥＴ）等の樹脂等鉄、ＳＵＳ、アルミニウム、真鍮等の金属類等が挙げられ、これらの中でも小ロット生産の際にコスト軽減する点から、特に木材が好ましい。
【００３１】
前記バネ１１は、エンドグリップ８とシェル部９とを連結するように備えられ、前記棒材部４が当該バネ１１に挿通されている。前記バネ１１を具備することにより、エンドグリップ８の押し込み及び引き戻しを行う際のエンドグリップ８を引き戻す時に、前記バネ１１が縮んだ状態から元の状態に戻ろうとする力が働くため、エンドグリップの引き戻しを楽に行うことができる。また、バネ１１は、エンドグリップ８とシェル部９を連結しているので、外筒部３の後端から清掃材可動手段２が脱出することを防止する。
前記バネ１１は、清掃材可動手段２を最も後退させたときに、伸縮していない自由状態となるようにその長さを調節することが好ましい。
【００３２】
前記バネの形状は、中空構造のバネであれば特に限定されないが、例えばコイルバネ等が挙げられる。
前記バネ１１は、特に限定されず、市販のバネを用いることができ、例えば、鉄、ＳＵＳ、アルミニウム、真鍮等の金属類、エンジニアプラスチック等の樹脂等の材質のバネを用いることができる。
【００３３】
次に、外筒部３について詳しく説明する。外筒部３は、後端側のシェル部９と前端側の弾性部１０からなる全長が、通常２００〜３５０ｍｍ程度であり、好ましくは２３０〜３００ｍｍ程度とする。
前記シェル部９は、細長い内部通路を有する前記外筒部３の後端側を構成する堅牢な部分であり、清掃材可動手段２の棒材部４の可動スペースの確保することにより、安定して清掃材可動手段２を外筒部３の内部通路内で往復運動させることができる。好ましくはシェル部９が清掃材可動手段２を外筒部３の内部通路内で往復運動させる際のグリップとして便利な太さとなるように、適切な外径を有する。
前記シェル部９の構成は、グリップとなる部分があれば特に限定されず、図１のようにグリップ部分のみでもよく、グリップ部分と比較的細いパイプ部分とから構成されていてもよい。
前記シェル部９の長さは、１５０〜１７０ｍｍであることが好ましく、特に１５５〜１６５ｍｍであることが好ましい。
前記シェル部９の材質としては、前記エンドグリップ８と同じ材質を用いることができる。
【００３４】
前記弾性部１０は、細長い内部通路を有する前記外筒部３の後端側を構成する弾性変形可能な部分であり、前記線材部５を包囲して保護し、傷つき難くする。外筒部３の前端側を内部通路を確保できる弾性材料で構成することによって、本考案の掃除道具を自由な方向から掃除したい狭い通路にアクセスできるようになる。尚、弾性変形可能とは、屈曲と、屈曲からの復元が可能であることを意味する。
前記弾性部１０の長さは、８０〜１３０ｍｍであることが好ましく、特に１０５〜１１５ｍｍであることが好ましい。
前記弾性部１０の形状としては、弾性変形可能な中空構造であれば特に限定されないが、例えばコイルバネ、高剛性ゴムチューブ等が挙げられる。
前記コイルバネの材質としては、特に限定されないが、例えば、エンジニアプラスチック等の樹脂等が挙げられる。
【００３５】
前記弾性部１０は、１２０度以上の屈曲形状に耐えられることが好ましい。尚、屈曲の角度とは、図４に示すθの角度を意味する。
【００３６】
前記弾性部１０の内部通路径は、前記線材部の直径よりも大きければ特に限定されず、前記清掃材７の直径より小さくても大きくても良いが、前記清掃材７の直径よりも小さいことが好ましい。これにより、清掃材可動手段２を往復運動させる際に、前記清掃材７が外筒部３の弾性部の前端開口部１０ａにおいて、清掃材７が外筒部３の内部通路に入り込まないようにするための止め具となる。尚、清掃材７の直径とは、線材部５の軸と垂直な断面形状の外接円における直径を意味する。
【００３７】
尚、前記清掃材可動手段２は、最も後退させた時に、当該清掃材可動手段２の先端の清掃材が、外筒部の弾性部の前端開口部の直前位置まで後退し、停止することが好ましい。清掃材が、外筒部の弾性部の前端開口部に接触または極めて近くに隣接する状態では、機会台の遊戯球入口に清掃材を挿入する時に、清掃材の自由な動きが妨げられて、挿入しずらい場合がある。これに対し、外筒部の弾性部の前端開口部に存在する清掃材が自由に動く場合には、機会台の遊戯球入口に清掃材を挿入しやすくなる。
かかる観点から、図２に示すように、清掃材可動手段２の線材部５上において、清掃材の固定位置よりも若干後退した位置、好ましくは５〜１５ｍｍ程度後退した位置に、線材部の引き込みを防止するストッパー１２ｄを設けることが好ましい。これによって、前記清掃材可動手段２は、最も後退させた時に、外筒部の弾性部の前端開口部と清掃材の間に５〜１５ｍｍ程度の間隔を空けることができる。
本考案の掃除道具は、前記エンドグリップ８を備えていることが好ましいが、これに限定されない。例えば、前記エンドグリップ８を備えていない場合は、清掃材可動手段２の後端部を手に持てる限界の長さまで押し込む時が、清掃材可動手段２を外筒部３に最も深く押し込んだ時である。
また、本考案の掃除道具は、前記バネ１１を備えていること、及び前記弾性部１０の内部通路径が前記清掃材７の直径より小さいことが好ましいが、これに限定されない。例えば、前記バネ１１を備えておらず、且つ、前記弾性部１０の内部通路径が清掃材７の直径以上である場合は、前記清掃材７が前記弾性部１０の内部に収納される時が、清掃材可動手段２を最も後退させた時である。
【００３８】
掃除道具１を使用する際は、外筒部が邪魔にならないような角度に、弾性部１０の部分を屈曲させることができる。掃除道具１の使用例の一例として、図５に前方から見たパチンコ遊技機の全景の写真を示し、図６に本考案に係る遊技場の機械台の掃除道具を用いて、図５に示すパチンコ遊技機の掃除を行う際の様子の写真を示す。また、図７に、本考案に係る遊技場の機械台の掃除道具を用いて、パチンコ遊技機の上皿部分にある玉案内通路の掃除を行う際の、清掃材可動手段を押し込む前の様子の写真を示す。図７において、線材部先端の清掃材は、玉案内通路の入り口直前まで接近している。図８に、本考案に係る遊技場の機械台の掃除道具を用いて、パチンコ遊技機の上皿部分にある玉案内通路の掃除を行う際の、清掃材可動手段を押し込んだ時の様子の写真を示す。図８において、清掃材は線材部によってＵターン状に屈曲した玉案内通路の奥まで前進している。図７及び図８の写真のように、本考案に係る遊技場の機械台の掃除道具は、弾性部を屈曲させることによって、自由な角度から玉案内通路等の入り口直前まで清掃材を接近させ、曲がりくねった玉案内通路内に、線材部によって清掃材を到達させることができる。
【実施例１】
【００３９】
以下、本考案に係る遊技場の機械台の掃除道具の試作品の一例について図９を参照して説明する。
図９（ａ）は、本考案に係る遊技場の機械台の掃除道具の試作品の一例であるパチンコ遊技機の掃除道具１３の部位を特定する図であり、シャフト１４、ワイヤー１５、球状ガイド部材１６、リング状ブラシ１７ａ、１７ｂ、カシメ１８ａ、１８ｂ、１８ｃ、コイルバネ１９、パイプ２０、グリップ２１、コイルバネ２２、エンドグリップ２３からなる。
図１に示す掃除道具１及び図２に示す掃除道具１の線材部の先端部を拡大図と、図９に示す掃除道具１３との対応関係は以下のようである。シャフト１４が棒材部４、ワイヤー１５が線材部５、球状ガイド部材１６がガイド部材６、リング状ブラシ１７ａ、１７ｂが清掃材７ａ、７ｂ、カシメ１８ａ、１８ｂ、１８ｃが、ストッパー１２ａ、１２ｂ、１２ｃ、コイルバネ１９が弾性部１０、パイプ２０及びグリップ２１がシェル部９、コイルバネ２２がバネ１１、エンドグリップ２３がエンドグリップ８である。
図９（ｂ）は、前記掃除道具１３のエンドグリップ２３を最も深く押し込んだ時の各部位の寸法を示し、図９（ｃ）前記掃除道具１３のエンドグリップ２３を最も後退させた時の各部位の寸法を示す。尚、図９（ｂ）及び図９（ｃ）中に示す寸法の単位はｍｍである。
【００４０】
シャフト１４はＳＵＳ製であり、長さが１４０ｍｍである。ワイヤー１５はＳＵＳ製の蛇腹状ワイヤーであり、長さが２６０ｍｍである。シャフト１４とワイヤー１５とを、６角型カシメによって接続することで、清掃材可動手段となる。清掃材可動手段の長さは、シャフト１４とワイヤー１５の合計長であり、４００である。
球状ガイド部材１６は直径９．５ｍｍのＰＯＭ樹脂製の球体であり、ワイヤ１５を通す貫通穴を有する。球状ガイド部材１６の貫通穴にワイヤ１５を通し、その前後にカシメを設けることによって、球状ガイド部材１６がワイヤ１５の最先端に固定される。球状ガイド部材１６の貫通穴は、その穴径が先端側開口部において部分的に拡径した二段加工が施されていて、ワイヤ１５の最先端に設けたカシメが球状ガイド部材１６内に埋没するようになっており、掃除に使用する際に引っ掛かりが防止される。
リング状ブラシ１７ａ、１７ｂは、配管掃除用のリング状ブラシであり、直径１２．５ｍｍ、軸方向の長さ９ｍｍである。リング状ブラシ１７ａ、１７ｂは、軸穴に線材部５を通し、清掃材７ａ、７ｂそれぞれの両端に、線材部５に噛ませた幅３ｍｍの金属製のカシメ１８ａ、１８ｂ、１８ｃによって３．５〜４ｍｍの間隔があるように固定される。リング状ブラシ１７ａ、１７ｂは、当該所定の位置で回転可能であり、且つ、０．５ｍｍ以下の幅で前後に動くように遊びが設けられている。
また、ワイヤ１５の先端近傍において、後ろ側のリング状ブラシ１７ｂが固定されている位置から約１０ｍｍ後退した位置に、ワイヤ１５がコイルバネ１９の通路内に引き込まれるのを止めるためのカシメ１８ｄが設けられている。
コイルバネ１９はＳＵＳ製で長さが１１０ｍｍであり、６角カシメによってパイプ２０に接続される。パイプ２０は金属製で、長さが４５ｍｍであり、グリップ２１内に圧入し、ボンドで接着される。グリップ２１は、木製で表面抗菌塗装が施されており、長さが１１５ｍｍである。コイルバネ２２はＳＵＳ製であり、長さが９０ｍｍであり、可変ストローク９０ｍｍである。コイルバネ２２は、グリップ２１の内部通路と連結しており、エンドグリップ２３に接続される。コイルバネ２２は、図９（ｃ）の状態で伸縮しない長さで設置されている。エンドグリップ２３は、木製で表面抗菌塗装が施されており、軸方向の長さが４８ｍｍである。
掃除道具１３は、エンドグリップ２３を最も深く押し込んだ状態（図９（ｃ））で、コイルバネ１９から突出しているワイヤーの長さは、９８．４３ｍｍであり、可変ストローク９０ｍｍである。また、掃除道具１３の全長（エンドグリップの部分を含む）は４５２．９５ｍｍであり、エンドグリップ２３を最も深く押し込んだ時（図９（ｂ））とエンドグリップ２３を最も後退させた時（図９（ｃ））とで等しい。
【符号の説明】
【００４１】
１  遊技場の機械台の掃除道具
２  清掃材可動手段
３  外筒部
４  棒材部
５  線材部
６  ガイド部材
７（７ａ、７ｂ）  清掃材
８  エンドグリップ
８ａ  エンドグリップの前端
９  シェル部
９ａ  シェル部の前端
９ｂ  シェル部の後端
９ｃ  シェル部の内部通路
１０  弾性部
１０ａ  弾性部の前端開口部
１１  バネ
１２ａ、１２ｂ、１２ｃ、１２ｄ  ストッパー
１３  遊技場の機械台の掃除道具
１４  （棒材部となるもの）
１５  ワイヤー
１６  球状ガイド部材
１７ａ、１７ｂ  リング状ブラシ
１８ａ、１８ｂ、１８ｃ、１８ｄ  カシメ
１９  コイルバネ
２０  パイプ
２１  グリップ
２２  コイルバネ
２３  エンドグリップ
【図１】
0003161594.tif 000003
【図２】
0003161594.tif 000004
【図４】
0003161594.tif 000005
【図９Ａ】
0003161594.tif 000006
【図９Ｂ】
0003161594.tif 000007
【図９Ｃ】
0003161594.tif 000008
【図３】
0003161594.tif 000009
【図５】
0003161594.tif 000010
【図６】
0003161594.tif 000011
【図７】
0003161594.tif 000012
【図８】
0003161594.tif 000013
【手続補正書】
【提出日】平成22年6月17日(2010.6.17)
【手続補正１】
【補正対象書類名】図面
【補正対象項目名】図５
【補正方法】変更
【補正の内容】
【図５】
0003161594.tif 000014
【手続補正２】
【補正対象書類名】図面
【補正対象項目名】図６
【補正方法】変更
【補正の内容】
【図６】
0003161594.tif 000015
【手続補正３】
【補正対象書類名】図面
【補正対象項目名】図７
【補正方法】変更
【補正の内容】
【図７】
0003161594.tif 000016
【手続補正４】
【補正対象書類名】図面
【補正対象項目名】図８
【補正方法】変更
【補正の内容】
【図８】
0003161594.tif 000017